(57)【要約】【課題】  遊技者の嗅覚に訴える演出が可能になり、かつ、香料の交換や保管等、香料の管理が容易な遊技機を提供する。【解決手段】  筐体に設けられた開口部と、所定の香料を含む塗料を塗布した香料基材と、香料基材からの香りの放出を制御する香り放出制御手段と、を有し、所定の条件を満たした場合、香り放出制御手段の制御により、該香料基材からの香りを開口部より放出する。【選択図】  図６
2006345938.tif 000002
【特許請求の範囲】
【請求項１】
筐体に設けられた開口部と、
所定の香料を含む塗料を塗布した香料基材と、
前記香料基材からの香りの放出を制御する香り放出制御手段と、を有し、
所定の条件を満たした場合、前記香り放出制御手段の制御により、該香料基材から発する香りを前記開口部より放出することを特徴とする遊技機。
【請求項２】
役の抽選を行う役抽選手段と、
前記役抽選手段の抽選の結果、所定の役が当選したか否かを判別する特定役判別手段と、
役を構成する図柄の組み合わせに基づいて、役が入賞したか否かを判別する役入賞判別手段と、をさらに有し、
前記香り放出制御手段は、前記特定役判別手段又は前記役入賞判別手段のうちいずれかの判別結果に基づいて、前記香料基材から発する香りの放出を制御することを特徴とする請求項１記載の遊技機。
【請求項３】
前記開口部に対して開閉を行う開閉手段を有することを特徴とする請求項１又は２記載の遊技機。
【請求項４】
前記香料基材及び前記香り放出制御手段は、前記筐体に着脱可能な収納手段に収納されることを特徴とする請求項１から３のいずれか１項に記載の遊技機。
【請求項５】
前記香り放出制御手段は、前記香料基材において前記塗料が塗布された部分に外圧を加えることにより、前記香料基材から発する香りの放出を制御することを特徴とする請求項１から４のいずれか１項に記載の遊技機。
【発明の詳細な説明】
【技術分野】
【０００１】
本発明は、遊技機に関し、詳しくは、遊技者の嗅覚に訴える演出を可能とする遊技機に関する。
【背景技術】
【０００２】
現在、スロットマシン等の遊技機では、遊技者が遊技をより楽しめるように表示装置やリール等を工夫する等して演出の多様化が図られている（例えば、特許文献１〜３参照）。
【特許文献１】特開２００５−２７７０７号公報
【特許文献２】特開２００５−３４５３１号公報
【特許文献３】特開２００５−６６００９号公報
【発明の開示】
【発明が解決しようとする課題】
【０００３】
上記特許文献１〜３を始めとする従来の遊技機では、一般的に行われる、視覚に訴える演出のみに留まっている。このような視覚に訴える演出のみでは演出の多様化にも限度がある。
【０００４】
そこで、遊技者の視覚に訴える演出以外の演出例として、遊技者の嗅覚に訴える演出を可能とする遊技機が考えられる。しかし、遊技機から香りを発生させて遊技者の嗅覚に訴えるとすると、例えば、香りの素となる香料に対し加熱することで香りを発生させることが考えられるが、加熱手段を設けてそれを筐体内で発熱させることは危険を伴うとともに、他の部品の故障に繋がる可能性がある。また、香料が液体状である場合、ホール側は香料を補充・交換する時にその取り扱いに注意を払う必要があり、煩わしさを感じる可能性がある。さらに、香料については、補充・交換の時だけでなく、普段の保管状態にも注意を払わなければならない。
【０００５】
本発明は、上記事情に鑑みてなされたものであり、香料を含む塗料を塗布した香料基材と、香料の香りを拡散させるための香り放出制御手段とを有し、筐体内から香りを放出することができ、かつ、香料基材の交換や保管等、管理が容易な遊技機を提供することを目的とする。
【課題を解決するための手段】
【０００６】
かかる目的を達成するために、請求項１記載の発明は、筐体に設けられた開口部と、所定の香料を含む塗料を塗布した香料基材と、香料基材からの香りの放出を制御する香り放出制御手段と、を有し、所定の条件を満たした場合、香り放出制御手段の制御により、香料基材から発する香りを開口部より放出することを特徴とする。
【０００７】
請求項２記載の発明は、請求項１記載の発明において、役の抽選を行う役抽選手段と、役抽選手段の抽選の結果、所定の役が当選したか否かを判別する特定役判別手段と、役を構成する図柄の組み合わせに基づいて、役が入賞したか否かを判別する役入賞判別手段と、をさらに有し、香り放出制御手段は、特定役判別手段又は役入賞判別手段のうちいずれかの判別結果に基づいて、香料基材から発する香りの放出を制御することを特徴とする。
【０００８】
請求項３記載の発明は、請求項１又は２記載の発明において、開口部の開閉を行う開閉手段を有することを特徴とする。
【０００９】
請求項４記載の発明は、請求項１から３のいずれか１項に記載の発明において、香料基材及び香り放出制御手段は、筐体に着脱可能な収納手段に収納されることを特徴とする。
【００１０】
請求項５記載の発明は、請求項１から４のいずれか１項に記載の発明において、香り放出制御手段は、香料基材において塗料が塗布された部分に外圧を加えることにより、香料基材から発する香りの放出を制御することを特徴とする。
【発明の効果】
【００１１】
本発明によれば、遊技者の嗅覚に訴える演出が可能になり、かつ、香料基材の交換や保管等、香料基材及び遊技機についての管理が容易な遊技機を実現することができる。
【発明を実施するための最良の形態】
【００１２】
以下、本発明を実施するための最良の形態について添付図面を参照して詳細に説明する。
【実施例１】
【００１３】
まず、本発明の実施例１として、回胴リール装置を備えた遊技機であるスロットマシンの構成について説明する。
本実施例のスロットマシンの外観正面を図１に示す。図１に示すように、本実施例のスロットマシンは、香料の香りを筐体外へ放出するための排気口（開口部の一例）１，２，３を下パネル４に備えている。また、香りを放出しない時のために、排気口１，２，３に対応した開閉可能なシャッター手段（図示せず。開閉手段の一例）を排気口１，２，３近傍にそれぞれ設けてもよい。このシャッター手段は、遊技者等が手動で開閉できるものでもよいし、あるいは、図５に示すように、サブ制御基板３００と電気的に接続することにより、サブ制御基板３００の制御により遊技内容と連動して開閉するようにしてもよい。
【００１４】
本実施例のスロットマシンの内部構成の概略を示す側断面を図２に示す。図２に示すように、本実施例のスロットマシンは、下パネル４の内側（前面扉５内）に着脱可能な収納ケース９を備える。この収納ケース９は、前面扉５内に設けられた収納ケース保持部１３によって保持される。図示はしていないが、本実施例では、排気口１，２，３にそれぞれ対応する収納ケースが設けられているものとする。なお、排気口及びそれに対応する収納ケースの数は本実施例に限定されるものではない。
【００１５】
この収納ケース９は、排気口１，２，３に対応する側に収納ケース開口部１４が設けられている。また、収納ケース開口部１４に対向する側には、収納ケース９自体の着脱時（香料基材の交換時等）にホール関係者等が使用する取っ手１０が設けられており、この取っ手１０を使用することで、収納ケース保持部１３から収納ケース９を引き出したり、収納ケース保持部１３へ収納ケース９を押し込んだりすることができる。
【００１６】
収納ケース９には、香料を含む塗料を塗布した基材である香料カード１６と、その香料カード１６の塗布面に外圧（本実施例では摩擦）を加えて香料の香りを拡散させるためのローラ（摩擦手段の一例）１２が収納される。収納ケース９の下部には、ローラ１２と電気的に接続された配線１５が設けられている。図５に示すように、このローラ１２は配線１５を介してサブ制御基板３００と電気的に接続され、サブ制御基板３００によりオン・オフの制御がされる。なお、本実施例では、ローラ１２のオン・オフの切り替えは、サブ制御基板３００によって制御されるものとしたが、人手によるオン・オフの切り替えが可能な、独立したスイッチを筐体の所定の位置に設けてもよい。
【００１７】
本実施例に係る収納ケース９の側断面を図３に、また、香料カード１６とローラ１２の外観を図４に示す。図３に示すように、収納ケース９の内部には、ローラ１２と、香料カード１６が設置される。ローラ１２は、収納ケース９下部に設けられた配線１５を介してサブ制御基板３００と電気的に接続されている。香料カード１６は、香料基材保持部１７，１８によって収納ケース９内部の底面に固定される（図３，４参照）。なお、本実施例では、香料基材保持部１７，１８を爪状の形状とし、香料カード１６を挟み込んで固定するようにしたが、香料カード１６を固定する方法はこれに限定されない。
【００１８】
ローラ１２は、サブ制御基板３００から配線１５を介して駆動信号を受信すると、香料基材保持部１７，１８によって収納ケース９内部の底面に固定された香料カード１６の塗布面２３（香料を含む塗料が塗布された面。以下、塗布面という）上を前後（図３，４の直線矢印方向）に駆動し、塗布面２３を摩擦する。ローラ１２による摩擦により、香料カード１６の摩擦された部分から香りが発生し、収納ケース９内に拡散する。拡散した香料カード１６の香りは、収納ケース開口部１４を介して下パネル４に設けた排気口１，２，３より筐体外へ放出される。なお、本実施例では、複数の排気口１，２，３と、各排気口に対応する収納ケースを設ける構成であるので、別々の香料基材を各収納ケースに設置することにより、排気口１，２，３から３種類の香りが放出される。
【００１９】
本実施例で使用する香料カード１６について説明する。
本実施例で使用する香料カード１６は、台紙等の基材の表面に香料成分を含む塗料を塗布したカード状の基材である。本実施例の塗料は、微小のマイクロカプセル（一般的に使用されているもの）に液体香料を包みこんだもの混合したものである。よって、本実施例では、ローラ１２の駆動により塗布面２３が摩擦され、摩擦によりマイクロカプセルの外殻が破れ、内部の香料成分が外部（塗布面外）へ放出される。よって、香りの放出を確実にするために、ローラ１２の表面には凹凸を設けるようにするのが好ましい。なお、香料の種類は何でも良い。例えば、一般的にリールに描かれているフルーツの図柄の香料でもよいし、リールの図柄とは関係のない、植物や食物等の香料であってもよい。
【実施例２】
【００２０】
本発明の実施例２について図７を参照して説明する。本実施例は、上記実施例１と同様の構成のスロットマシンであり、上記構成に加え、ローラ１２にシャッター手段１１（開閉手段の一例）を一体化して取り付けた構成とする。
【００２１】
図７（ａ）及び（ｂ）は、香料カード１６と、ローラ１２とを収納した収納ケース９が筐体の下パネル４の内側に設置されている様子（図２参照）を拡大して示す側断面図である。
本実施例では、図７（ａ）に示すように、ローラ１２の側面には、取付部材を介してシャッター手段１１が一体化して取り付けられている。シャッター手段１１は平面上の板状部材であり、素材は何でもよいが、ローラ１２とともに駆動するため、軽量のものが好ましい。そして、上記実施例１と同様に、ローラ１２は、サブ制御基板３００から配線１５を介して駆動信号を受信すると、香料基材保持部１７，１８によって収納ケース９内部の底面に固定された香料カード１６の塗布面２３上を前後（図７（ａ）に示す直線状の白抜き矢印方向）に駆動し、塗布面２３を摩擦する。ローラ１２による摩擦により、香料カード１６の摩擦された部分から香りが発生し、収納ケース９内に拡散する。拡散した香料カード１６の香りは、収納ケース開口部１４を介して下パネル４に設けた排気口１，２，３より筐体外へ放出される。
【００２２】
そして、ローラ１２の駆動が所定の時間行われ、ローラ１２がサブ制御基板３００から配線１５を介して停止信号を受信すると、図７（ｂ）に示すように、ローラ１２は、排気口１，２，３側へ移動し、ローラ１２に一体化して設けられたシャッター手段１１が排気口１，２，３を塞ぐ位置で停止する。ローラ１２が再び駆動信号を受信した場合は、図７（ａ）に示すように、ローラ１２は、再び取っ手１０方向へ移動し、前後に駆動して香料カード１６の塗布面を摩擦する。
【実施例３】
【００２３】
本発明の実施例３について図８を参照して説明する。本実施例は、上記実施例１及び２と同様の構成のスロットマシンである。上記実施例では、収納ケース９の底面に固定した香料基材の塗布面上においてローラを駆動させて摩擦することにより、香りを発生させる構成としたが、本実施例では、収納ケース９の底面に固定した突起部上において香料基材を駆動させて摩擦することにより、香りを発生させる構成とする。
【００２４】
図８に示すように、収納ケース９の内部には、送り出しローラ１９（摩擦手段の一例）、巻き取りローラ２０（摩擦手段の一例）、シート状の香料基材である香料シート２１（香料基材の一例）、突起部２２（摩擦手段の一例）とが設置されている。送り出しローラ１９及び巻き取りローラ２０は、図示しない保持手段によって収納ケース９内に固定されている。また、巻き取りローラ２０及び送り出しローラ１９の少なくとも１つは、収納ケース９下部に設けられた配線１５を介してサブ制御基板３００と電気的に接続されている。
【００２５】
図８において、送り出しローラ１９の表面には、未使用（香り発生前）の香料シート２１が多重に巻き付いている。巻き取りローラ２０は、送り出しローラ１９から送り出され、突起部２２との摩擦により使用済み（香り発生後）となった香料シート２１を表面に巻き取るためのローラである。香料シート２１は、上記実施例１と同様の塗料を含む、薄型の香料基材である。突起部２２は、収納ケース９内の底面に固定されて設けられた棒状部材であり、送り出しローラ１９から送り出された香料シート２１の表面を摩擦するための部材である。
【００２６】
送り出しローラ１９及び巻き取りローラ２０の少なくとも１つが、サブ制御基板３００から配線１５を介して駆動信号を受信すると、回転駆動を開始し、送り出しローラ１９側に巻き付いている香料シート２１が巻き取りローラ２０側へ送り出される（図８に示す白抜き矢印は送り出し方向）。送り出された香料シート２１が突起部２２を通過する際の摩擦により、香料シート２１の摩擦部分から香りが発生し、収納ケース９内に拡散する。拡散した香料シート２１の香りは、収納ケース開口部１４を介して下パネル４に設けた排気口１，２，３より筐体外へ放出される。
【実施例４】
【００２７】
本発明の実施例４について説明する。本実施例は、上記実施例１〜３のいずれかと同様の構成のスロットマシンであり、上記いずれかの構成に加え、収納ケース内にファンを取り付けた構成とする。
【００２８】
図５及び図６に示すように、ファン２３は、送風機能及び換気機能の少なくとも１つを有し、収納ケース９内の所定の位置に設けられ、配線１５を介してサブ制御基板３００と電気的に接続される。ファン２３は、サブ制御基板３００からの駆動信号を受信すると、所定の時間回転駆動することにより収納ケース９内に空気を送り（送風機能）、収納ケース９内に拡散した香りを排気口１，２，３外へ放出する。また、サブ制御基板３００からの停止信号を受信すると、所定の時間回転駆動することにより収納ケース９内に拡散した香りを吸気し（換気機能）、通気管（ファンから筐体外へ通じる管）を介して筐体外へ放出する。なお、ファンの駆動信号及び停止信号は、上記ローラ１２，１９，２０の駆動信号及び停止信号と連動するようにしてもよい。
【００２９】
なお、上記各実施例１〜４では、香料カード１６、香料シート２１、ローラ１２、送り出しローラ１９、巻き取りローラ２０、突起部２２、香料基材保持部１７，１８、配線１５、ファン等の各手段を収納ケース９内に設置する構成としたが、上記各手段を筐体内の所定の位置に直接設ける構成としてもよい。
【００３０】
次に、上記各実施例１〜４のスロットマシンの制御動作について図６を参照して説明する。図６は、スロットマシンに対し遊技者の遊技操作等に関する入力が行われ、所定のプログラム処理がなされて処理結果を出力し、その処理結果に応じた動作が実行されるまでの概略を説明するためのブロック図である。このプログラム処理は、コンピュータが制御手段５０を機能させることにより実行される。
【００３１】
制御手段５０は、スロットマシンの遊技の進行や演出等を含むスロットマシン全体を統括制御するための手段であり、演算等を行うＭＰＵと、遊技の進行等に必要なプログラムや演出用のデータ等を記憶しておくＲＯＭと、ＭＰＵが各種制御を行うときに、取り込んだデータ等を一時的に記憶しておくＲＡＭ等とを備える。
【００３２】
制御手段５０の演出用制御手段７０は、図５のサブ制御基板３００に備えられ、演出に関する制御を行う。また、制御手段５０の遊技用制御手段６０は、図５の主制御基板７００に備えられ、遊技の進行に関する制御を行う。
【００３３】
本実施例のスロットマシンは、演出用制御手段７０に駆動制御手段７７を設けたことを特徴としている。この駆動制御手段７７は、遊技の内容に連動してローラ１２、巻き取りローラ２０（及び送り出しローラ１９）、ファン２０、シャッター手段（開閉手段）１１のスイッチのオン・オフを制御する機能を有する。例えば、役抽選手段６１の抽選の結果、特定役、例えば所定の小役や特別役が当選したか否かを判別する特定役当選判別手段６２、又は、リール停止制御手段６６の停止制御に基づき全てのリールの停止時に、役を構成する図柄の組み合わせが有効ラインに停止したか否か、つまり役が入賞したか否かを判別する特別役入賞判別手段６７が、当選又は入賞を判定した場合、演出用制御手段７０の駆動制御手段７７は、特定役当選判別手段６２からの当選信号、又は特別役入賞判別手段６７からの入賞信号を受けてローラ１２、巻き取りローラ２０（及び送り出しローラ１９）、ファン２０、シャッター手段（開閉手段）１１のスイッチをオンにする。また、この場合、駆動制御手段７７は所定の時間経過後にローラ１２、巻き取りローラ２０（及び送り出しローラ１９）、ファン２０、シャッター手段（開閉手段）１１のスイッチをオフにする。なお、ローラ１２や巻き取りローラ２０の駆動に連動して、シャッター手段の開閉動作やファンの送風／換気動作が行われる。
【００３４】
また、スロットマシンが複数のローラ、シャッター手段、ファンを有している場合、駆動制御手段７７は、予め設定された遊技内容に応じて、予め設定されたローラ、シャッター手段、ファンのスイッチのオン・オフ切り替えを行う。なお、上記各実施例では、香料の香りの放出について、ローラによって香料基材を摩擦する方法で行うものとしたが、摩擦に限られるものではなく、塗布面に外圧を加える手段や方法であればよい。
【００３５】
以上のような駆動制御手段７７のスイッチ切り替え制御により、香りを放出する様々な演出が可能となる。演出例について以下に説明する。なお、以下の各演出例は、演出用制御手段７０の各手段（７１〜７７）にて行われる。また、演出例は以下の内容に限定されるものではない。
【００３６】
〈演出例１〉
液晶表示装置等の表示手段に表示される演出画像に対応した香りを放出するようにする。例えば、演出画像で花畑が表示された場合、所定の花の香りを放出する。
また、役抽選手段６１及び特定役当選判別手段６２により成立したフラグに対応した香りを放出するようにしてもよい。例えば、果物のスイカの図柄に当選した場合、スイカの香りを放出する。
【００３７】
〈演出例２〉
例えば、スロットマシンが複数の収納ケース（香料基材及びローラ）を有している場合、サブゲームとして遊技者に対する複数の質問を表示装置等に表示し、遊技者が停止ボタン等で各質問に対する回答を入力すると、各回答の結果に合わせて複数の香料のうち、予め設定された香料基材をローラの駆動により摩擦し、所定の排気口より香りを放出する。例えば、ラベンダー、グレープフルーツ、及びイランイランといった香料を含む塗料と塗布した香料基材を予め収納ケースに備えておき、「ストレスや緊張を感じる」という回答結果に対してはラベンダー、「ダイエットしたい」という回答結果に対してはグレープフルーツ、「睡眠不足」という回答結果に対してはイランイラン、というように、各回答に合わせて該当する香りを所定の時間の間放出する。本演出例において、サブゲームのデータ、香料放出に係る制御データ（駆動するローラの選定、ローラの駆動時間）は、演出データ記憶手段７３に記憶される。
【００３８】
〈演出例３〉
スロットマシンの遊技は長時間行われることが一般的である。よって、本演出例では、所定の時間経過後に、定期的に疲労を和らげる効果のある香りを放出するようにする。例えば、肩こりに効果のあるユーカリ、目の疲れに効果のあるベルガモット、集中力アップに効果のあるレモングラスといった香料を含む塗料と塗布した香料基材を予め収納ケースに備えておき、３０分ごとに所定の時間の間、該当する香りを放出する。本演出例において、香料放出に係る制御データ（駆動するローラの選定、ローラの駆動時間）は、演出データ記憶手段７３に記憶される。
【００３９】
以上説明したように、上記実施例１〜４のスロットマシンによれば、香料基材と、香り放出制御手段とを備えることにより、遊技の内容と連動して香りが放出されるので、遊技者の視覚に訴える演出に加え、嗅覚に訴えるという従来にはない新しい演出が可能となる。
【００４０】
また、上記実施例１〜４のスロットマシンによれば、香料を含む塗料を塗布した香料基材を使用するので、香料基材の補充・交換や保管が簡易であり、香料基材及びスロットマシンの管理を容易に行うことができる。
【００４１】
また、上記実施例２のスロットマシンによれば、ローラとシャッター手段とを一体化し、ローラの駆動終了時にシャッター手段が排気口を塞ぐ位置に停止するので、ローラの駆動終了とともに香りの放出を停止することができる。
【００４２】
また、上記実施例３のスロットマシンによれば、シート状の香料基材を使用することにより、カード状の香料基材に比べ、補充・交換作業の頻度が少なくて済む。
【００４３】
また、上記実施例４のスロットマシンによれば、送風機能及び換気機能のうち少なくとも１つを有するファンを設けることにより、香りの放出及び吸気をスムーズに行うことができる。
【００４４】
なお、本明細書において、「香料基材」は、香料カード１６（実施例１，２，４）、香料シート２１（実施例３）を示す。また、「香り放出制御手段」は、サブ制御基板３００の駆動制御手段７７（実施例１〜４）と、摩擦手段（香料基材に外圧を加える手段の一例）とを示す。摩擦手段は、ローラ１２（実施例１，２，４）、又は、送り出しローラ１９、巻き取りローラ２０及び突起部２２（実施例３）と、を示す。また、ファン２３（実施例４）は、香り放出制御手段の追加例である。
【００４５】
以上、本発明の各実施例について説明したが、上記各実施例の記載に限定されるものではなく、その要旨を逸脱しない範囲において種々の変形が可能である。
【産業上の利用可能性】
【００４６】
本発明は、スロットマシン、パチンコ機、ゲーム機等の遊技機全般に適用できる。
【図面の簡単な説明】
【００４７】
【図１】本発明の遊技機の外観を示す正面図である。
【図２】本発明の遊技機の内部構成を示す側断面図である。
【図３】本発明の実施例１に係る収納ケース内の構成を示す側断面図である。
【図４】本発明の実施例１に係る香料基材及びローラの構成を示す外観斜視図である。
【図５】本発明の遊技機の内部構成を示すブロック図である。
【図６】本発明の遊技機の制御の概略を示すブロック図である。
【図７】本発明の実施例２に係る収納ケース内の構成を示す側断面図である。
【図８】本発明の実施例３に係る収納ケース内の構成を示す側断面図である。
【符号の説明】
【００４８】
１、２、３    排気口（開口部の一例）
４    下パネル
５    前面扉
９    収納ケース（収納手段の一例）
１０    取っ手
１１    シャッター手段（開閉手段の一例）
１２    ローラ（摩擦手段の一例、香り放出制御手段の一部）
１３    収納ケース保持部
１４    収納ケース開口部
１５    配線
１６    香料カード（香料基材の一例）
１７、１８    香料基材保持部
１９    送り出しローラ（摩擦手段の一例、香り放出制御手段の一部）
２０    巻き取りローラ（摩擦手段の一例、香り放出制御手段の一部）
２１    香料シート（香料基材の一例）
２２    突起部（摩擦手段の一例、香り放出制御手段の一部）
２３    ファン（香り放出制御手段の一例）
６１    役抽選手段
６２    特定役当選判別手段（特定役判別手段）
６７    特別役入賞判別手段（役入賞判別手段）
７７    駆動制御手段（香り放出制御手段の一部）
３００    サブ制御基板
【図１】
2006345938.tif 000003
【図２】
2006345938.tif 000004
【図３】
2006345938.tif 000005
【図４】
2006345938.tif 000006
【図５】
2006345938.tif 000007
【図６】
2006345938.tif 000008
【図７】
2006345938.tif 000009
【図８】
2006345938.tif 000010